(57)【要約】【課題】磁気回転式の旋転装飾構造の提供。【解決手段】本考案の磁気回転式の旋転装飾構造は、外部の磁力環によりもたらされる磁気作用により、直接、内部環歯を吸合し、内部環歯は外部の磁力環の旋転閉合運動により同時に作動し、内部環歯の旋転閉合運動と同時に、駆動装置を帯動する以外に、駆動装置が内部のぜんまい装置の受動ギアを駆動する。これにより、ぜんまい装置が作動して、動力が釈放されると、ぜんまいの動力が一定時間維持され、台座上の装飾物を帯動し、多様化した動態表現能力を発揮し、付加価値と面白さを増加させる。【選択図】    図２
0003135317.tif 000002
【実用新案登録請求の範囲】
【請求項１】
磁気回転式の旋転装飾構造であって、主に、透明カバー、磁力環、台座、内部環歯、駆動装置、弾性素子、底座、及び、ぜんまい装置等の素子からなり、その特徴は、
前記透明カバーは前記台座上に配置され、動力軸上で装飾物をカバーして保護するか、或いは、封閉と隔絶様態を構成し、
前記磁力環は中空環状で、前記台座外縁と抵止縁より上の位置に設置され、前記磁力環内縁面は、等距離で数組の磁性素子を有し、磁気作用と前記台座内部に設置された内部環歯により、磁性定位を形成し、
前記台座は、上部が透明カバーを設置し、底部は前記底座より封鎖、或いは、封合され、前記台座主体は門構えの中空体で、頂縁が段差縁を有し、前記透明カバーを配置する他、下方は抵止縁を設置し、前記磁力環を係止し、且つ、前記台座縁下方の外縁部は、螺紋体、或いは、接合部を有し、
前記内部環歯は、前記台座の内部に配置され、中空の環状構造で、環周上に、前記磁力環に対応し、同組数の磁性素子を設置する以外に、内環縁面に内環歯を有し、
前記駆動装置は、前記底座の一側位置にあり、前記底座が設ける枢軸により枢接し、前記駆動装置は上部歯と下部歯の二重歯構造をなし、前記上部歯が前記内部環歯の内環歯に噛合し、前記下部歯は前記ぜんまい装置の受動歯に噛合し、この他、前記駆動装置は、段差のある旋部を設け、前記旋部は前記台座内部の圧片に対応し、前記弾性素子を圧合すると共に、前記駆動装置の上下往復移動とクラッチの功能を構成し、
前記弾性素子は、前記枢軸上に設置され、前記駆動装置の内部下方位置にあり、
前記底座は、前記台座と封鎖、或いは、封合し、一側は枢軸を有し、内部位置は前記ぜんまい装置を鎖設し、
前記ぜんまい装置は、動力軸により前記台座に延設され、前記受動ギアと前記駆動装置の下部歯がクラッチ性の噛合を実行することを特徴とする磁気回転式の旋転装飾構造。
【請求項２】
前記駆動装置は端頭に段差旋部を有し、これにより、前記段差旋部の旋転閉合段差が、前記駆動装置を一回転される毎に、一次上移運動を形成することを特徴とする請求項１に記載の磁気回転式の旋転装飾構造。
【請求項３】
前記透明カバーは、封閉式構造により、内部に液体物質を充填し、水球様態の構造を形成することができることを特徴とする請求項１に記載の磁気回転式の旋転装飾構造。
【請求項４】
前記ぜんまい装置が延設する動力軸は、装飾物を接続することを特徴とする請求項１に記載の磁気回転式の旋転装飾構造。
【考案の詳細な説明】
【技術分野】
【０００１】
本考案は磁気回転式の旋転装飾構造に関し、特に、完全に封閉状態下でのぜんまい（発条）装置が、外部の磁力環によりもたらされる磁気作用により、動力が直接、外部の磁力環、内部環歯、及び、駆動装置から内部のぜんまい装置に提供されて作動し、ぜんまい装置が一定期間動力を維持して、釈放する構造に関するものである。
【背景技術】
【０００２】
ぜんまい装置は密封性の構造体には応用されず、構造形態上、取り外し可能であるため、構造体が分解しやすく、耐用度が低く、損壊しやすい。また、配置物と構造の隔絶、封閉も難しく、特に、液体の装飾物（透明カバーに液体を内置する）と液体と接触するコップや容器等は、公知のぜんまい装置を採用できない。
【考案の開示】
【考案が解決しようとする課題】
【０００３】
本考案の目的は、磁気回転式の旋転装飾構造を提供し、内置されたぜんまい装置は封閉構造で、更に、磁気と磁気伝動原理により、ぜんまいの巻きは、直接、外部の磁力環によりもたらされる磁気作用により達成され（ぜんまいのつまみがない）、封閉性のぜんまい装置による旋転装飾品を完成することにある。
【課題を解決するための手段】
【０００４】
本考案は、透明カバー、磁力環、台座、内部環歯、駆動装置、弾性素子、底座、及び、ぜんまい装置等の素子からなり、その構造は、完全に封閉状態下でのぜんまい装置が、外部の磁力環によりもたらされる磁気作用により、動力が直接、外部の磁力環、内部環歯、及び、駆動装置から内部のぜんまい装置に提供されて、装飾品を旋転させる。
【考案の効果】
【０００５】
本考案により、磁気回転式の旋転装飾構造が提供され、多様化した動態表現能力を発揮し、付加価値と面白さを増加させる。
【考案を実施するための最良の形態】
【０００６】
図１、図２は本考案の全体構造を示し、透明カバー（１）、磁力環（２）、台座（３）、内部環歯（４）、駆動装置（５）、弾性素子（６）、底座（７）、及び、ぜんまい装置（８）等の素子からなる。磁力環（２）は中空環状で、台座（３）外縁（３１）と抵止縁より上の位置に設置され、磁力環（２）は台座（３）と定位や鎖固せずに、磁力環（２）が台座（３）外縁で旋転閉合して作動すればよい。次に、磁力環（２）内縁面は、等距離で数組の磁性素子（２１）を有し、これらの磁性素子（２１）は内部環歯（４）の数組の磁性素子（４１）に対応し、磁力環（２）は内部環歯（４）と相互に吸磁し、磁性定位する。
【０００７】
図２を参照すると、台座上の透明カバー（１）の主な目的は、ぜんまい装置（８）が延設する動力軸（８１）と動力軸（８１）上に配置する装飾物（A）をカバーして保護することである。また、封合方式で、透明カバーの内置物と外界は完全に隔絶される。透明カバー（１）を配置する台座（３）は門構えの中空体で、頂縁は段差縁（３２）を有し、透明カバー（１）を配置する他、下方は抵止縁（３１）を設置し、外縁が設ける磁力環（２）を係止する。次に、台座縁（３１）下方に位置する外縁は、螺紋体（３３）、或いは、接合部を有し、必要な配置物や接合物と螺接配置でき、装飾物旋転構造、図４、図５で示されるような、例えば、コップ蓋、容器蓋、人形形態の広告品、文具、或いは、小物を構成する。
【０００８】
次に、台座（３）内部に配置される内部環歯（４）は、同様に、中空環状で、環周上に、磁力環に対応し、同組数の磁性素子（４１）を設置する以外に、内環縁面に内環歯（４２）を有し、更に、内環歯（４２）により、底座（７）上に配置される駆動装置（５）を噛合して、本案の動力伝送の主要構造を構成する。
【０００９】
続いて、図３で示されるように、台座（３）と底座（７）両者は、鎖合方式、或いは、封合方式により、内部の全体素子を封閉状の構造体にする。前述の駆動装置（５）は底座（７）一側位置に配置されると共に、枢軸（７１）を有し、枢接される。駆動装置（５）は上部歯（５１）と下部歯（５２）の二重歯構造をなし、上部歯（５１）は前述の内部環歯の内環歯（４２）と噛合すると共に、枢軸（７１）、及び、内環歯（４２）により提供される旋転閉合動力により、自転機能を達成する。この自転機能を利用して、下部歯（５２）に対し、ぜんまい装置（８）が延設する受動ギア（８２）と噛合を形成し、外部に設置された磁力環（２）が提供する旋転閉合動力が、磁気と磁気伝動方式で、動力をぜんまい装置内部に提供し（即ち、ぜんまい装置内部の回転バネを収縮することであり、本案の構造の特徴ではないので、図示しない）、ぜんまいの動力が釈放される時、動力エネルギーを一定時間維持して、台座の動力軸（８１）により、配置されている装飾物を駆動する。
【００１０】
この他、説明すべきことは、駆動装置（５）下方の弾性素子（６）の目的と運用で、上述の基本構造中、駆動装置（５）がクラッチ構造を採用しない場合、ぜんまい装置（８）はエネルギーを釈放し、駆動装置（５）により、最終原始動力供給者である磁力環（２）にフィードバックする。弾性素子（６）の配置は、駆動装置（５）の端頭と段差のある旋部（５３）、及び、台座（３）内部に設けられた圧片（３４）と三者が、連動性のある対応関係を構成する。実施上、駆動装置（５）が一回転する毎に、段差の旋部（５３）と圧片（３４）の抵止作用により、旋部（５３）は旋転性の落差によって、駆動装置（５）が一回転する毎に、一次旋転性の上移作用を形成すると共に、上下往復シフトとクラッチ作用が、ぜんまい装置（８）を作動させる。一旦、磁力環（２）が旋転閉合施力を提供しなくなれば、駆動装置（５）は旋部（５３）に伴って上移し、ぜんまい装置の受動ギア（８２）から脱離し、動力エネルギーを最終原始動力供給者である磁力環（２）にフィードバックしない。
【図面の簡単な説明】
【００１１】
【図１】本考案の好ましい実施例の外観図である。
【図２】本考案の各素子の分解構造図である。
【図３】本考案の全体の断面構造と作動図である。
【図４】本考案をコップ類の製品にした実施例図である。
【図５】本考案応用例図である。
【符号の説明】
【００１２】
１  透明カバー
２  磁力環
２１  磁性素子
３  台座
３１  抵止縁
３２  階層縁
３３  螺紋体
３４  圧片
４  内部環歯
４１  磁性素子
２４  内環歯
５  駆動装置
５１上部歯
５２  下部歯
５３  段差旋部
６  弾性素子
７  底座
７１  枢軸
８  ぜんまい装置
８１  動力軸
８２  受動ギア
A  装飾物
【図１】
0003135317.tif 000003
【図２】
0003135317.tif 000004
【図３】
0003135317.tif 000005
【図４】
0003135317.tif 000006
【図５】
0003135317.tif 000007